【手続補正書】
【提出日】平成28年11月11日(2016.11.11)
【手続補正１】
【補正対象書類名】特許請求の範囲
【補正対象項目名】全文
【補正方法】変更
【補正の内容】
【特許請求の範囲】
【請求項１】
医療デバイスであって、
ヒータを含む第１電極を有するハンドピースと、
前記ヒータに加熱電力を選択的に与える加熱電源と、
前記第１電極に治療電力を選択的に与える治療電源と
を備え、
前記医療デバイスは、第１電気手術構成と第２電気手術構成との間で動作が変化可能であり、
前記第１電気手術構成において、前記加熱電源は、前記第１電極を加熱するべく前記ヒータに前記加熱電力を与え、前記治療電源は、前記第１電極に前記治療電力を与え、
ひとつの導線が、前記ヒータに前記加熱電力を伝送し、かつ、前記第１電極に前記治療電力を伝送する
ことを特徴とする医療デバイス。
【請求項２】
前記第１電気手術構成において、前記第１電極は、遠隔電極と導通し、前記第１電気手術構成において、前記医療デバイスは単極モードで動作する、ことを特徴とする請求項１に記載の医療デバイス。
【請求項３】
前記ハンドピースは、第２電極を有し、前記第１電気手術構成において、前記第２電極は前記治療電源と導通し、
前記第１電気手術構成において、前記医療デバイスは双極モードで動作する、ことを特徴とする請求項１に記載の医療デバイス。
【請求項４】
前記ハンドピースは、第２電極および第３電極を有し、前記第２電気手術構成において、前記第２電極は、前記治療電源と導通し、かつ、前記第１電極、前記第３電極またはその両方と導通し、
前記第２電気手術構成において、前記医療デバイスは双極モードで動作する、ことを特徴とする請求項１から３のいずれか一項に記載の医療デバイス。
【請求項５】
前記第１電極は、前記第１電気手術構成および前記第２電気手術構成の両方で動作可能である、ことを特徴とする請求項１から４のいずれか一項に記載の医療デバイス。
【請求項６】
前記第２電気手術構成において、前記加熱電源は前記ヒータに前記加熱電力を与え、前記治療電源は前記第１電極に前記治療電力を与える、ことを特徴とする請求項１から５のいずれか一項に記載の医療デバイス。
【請求項７】
前記ハンドピースは第２電極を有し、
前記第２電気手術構成において、前記第１電極は、前記第２電極および前記治療電源と導通し、
前記第２電気手術構成において、前記医療デバイスは、双極モードで動作し、
前記第２電気手術構成において、前記加熱電源は、前記ヒータに加熱電力を選択的に与える、ことを特徴とする請求項１から６のいずれか一項に記載の医療デバイス。
【請求項８】
前記医療デバイスは、第３電極を有し、
前記第１電極は、前記第２電極、第３電極および前記治療電源と導通し、
前記第２電気手術構成において、前記医療デバイスは単極モードで動作し、
前記第２電気手術構成において、前記加熱電源は、前記ヒータに前記加熱電力を選択的に与える、ことを特徴とする請求項３、４または７に記載の医療デバイス。
【請求項９】
前記医療デバイスは第３電極を有し、
前記第３電極は、前記第２電気手術構成において、前記第１および第２電極の少なくともひとつと導通し、
前記第２電気手術構成において、前記医療デバイスは双極モードで動作し、
前記第２電気手術構成において、前記加熱電源は、前記ヒータに前記加熱電力を選択的に与える、ことを特徴とする請求項３、４、または７に記載の医療デバイス。
【請求項１０】
前記第１電極は、第１伸長部と導通し、
前記第１電気手術構成において、前記第１伸長部は加熱された単極ブレードであり、
前記第１伸長部は、他の伸長部に関して移動可能である、ことを特徴とする請求項１から９のいずれか一項に記載の医療デバイス。
【請求項１１】
前記第１電極は第１伸長部と導通し、前記第２電極は第２伸長部と導通し、
前記第１電気手術構成において、前記第１および第２伸長部は、フォーセップデバイスの対向するジョーを有する、ことを特徴とする請求項３、４、７、８または９に記載の医療デバイス。
【請求項１２】
前記第１電極は、第１伸長部と導通し、前記第２電極は第２伸長部と導通し、前記第３電極は第３伸長部と導通し、
前記第１電気手術構成において、前記第１伸長部は、加熱されたブレードであり、
前記第２電気手術構成において、前記第２および第３伸長部は、フォーセップデバイスの対向するジョーを有する、ことを特徴とする請求項９に記載の医療デバイス。
【請求項１３】
前記医療デバイスは、前記第１および第２電気手術構成において、選択的に動作する、ことを特徴とする請求項１から１２のいずれか一項に記載の医療デバイス。
【請求項１４】
前記第１電極は第１伸長部と導通し、前記第２電極は第２伸長部と導通し、前記第３電極は第３伸長部と導通し、  
前記第１電気手術構成において、前記第１伸長部は加熱されたブレードであり、
前記第２電気手術構成において、前記第１伸長部は、前記第２および第３伸長部の間で中央に挟まれて配置され、加熱された伸長部を有し、
前記第２電気手術構成において、前記医療デバイスは双極モードで動作する、ことを特徴とする請求項９または１２に記載の医療デバイス。
【請求項１５】
前記医療デバイスは、Ｊ形フックまたはへらである、ことを特徴とする請求項１から１４のいずれか一項に記載の医療デバイス。
【請求項１６】
医療デバイスであって、
ハンドピースであって、前記ハンドピースは、ヒータを含む第１電極と、第２電極と、第３電極とを有するハンドピースと、
前記ヒータに加熱電力を選択的に供給する加熱電源と、
前記第１、第２および／または第３電極に治療電力を選択的に与える治療電源と、
を備え、
前記医療デバイスは、第１電気手術構成と第２電気手術構成との間で選択的に変化可能であり、
前記第１電気手術構成において、前記加熱電源は、前記第１電極を加熱するべく前記ヒータに前記加熱電力を与え、前記治療電源は、前記第１電極に前記治療電力を与える、ことを特徴とする医療デバイス。
【請求項１７】
前記第１電極は第１伸長部と導通し、前記第２電極は第２伸長部と導通し、前記第３電極は第３伸長部と導通し、
前記第１電気手術構成において、前記第１伸長部は加熱されたブレードであり、
前記第２電気手術構成において、医療デバイスが双極モードで動作するように、前記治療電源は、前記第２および第３電極に治療電力を与え、
前記第２および第３伸長部は、フォーセップデバイスの対向するジョーを有する、ことを特徴とする請求項１６に記載の医療デバイス。
【請求項１８】
前記第１電極は第１伸長部と導通し、前記第２電極は第２伸長部と導通し、前記第３電極は第３伸長部と導通し、
前記第１電気手術構成において、前記第１伸長部は加熱されたブレードであり、
前記第２電気手術構成において、前記医療デバイスが双極モードで動作するように、前記治療電源は、前記第２および第３電極に治療電力を与え、
前記第２電気手術構成において、前記第２および第３伸長部は、医療Ｊ形フックの対向するセグメントを有する、ことを特徴とする請求項１６に記載の医療デバイス。
【請求項１９】
前記第１電極は第１伸長部と導通し、前記第２電極は第２伸長部と導通し、前記第３電極は第３伸長部と導通し、
前記第１電気手術構成において、前記第１伸長部は、加熱されたブレードであり、
前記第２電気手術構成において、前記医療デバイスが双極モードで動作するように、前記治療電源は、前記第２および第３電極に治療電力を与え、
前記第２電気手術構成において、第２および第３伸長部は医療へらの対向するセグメントを有する、ことを特徴とする請求項１６に記載の医療デバイス。
【請求項２０】
医療デバイスであって、
ヒータを含む第１電極を有するハンドピースと、
前記ヒータに加熱電力を選択的に与える加熱電源と、
前記第１電極に治療電力を選択的に与える治療電源と、
を備え、
前記加熱電源は、前記第１電極を加熱するべく前記ヒータに加熱電力を与え、前記治療電源は前記第１電極に治療電力を与え、
前記第１電極は第１伸長部と導通し、
前記第１伸長部はフォーセップデバイスのジョーを有する、ことを特徴とする医療デバイス。
【手続補正２】
【補正対象書類名】明細書
【補正対象項目名】００５１
【補正方法】変更
【補正の内容】
【００５１】
図８Ａは、双極モード１８２における、例示的な電気手術医療デバイス２００を示す。医療デバイス２００は、第１伸長部１４６および第２伸長部１４８を含むハンドピース１０４を有する。各伸長部１４６、１４８は、機能的特徴１５２を有する。第１電極１１２は、第１伸長部１４６と導通し、第２電極１１６は第２伸長部１４８と導通する。第１伸長部１４６は第２伸長部１４８に関して移動可能である。双極モード１８２において、医療デバイス２００は第８アレンジメント１８４においてデバイス機能を実行することができる。
【手続補正３】
【補正対象書類名】明細書
【補正対象項目名】００５２
【補正方法】変更
【補正の内容】
【００５２】
図７および８Ａを参照して、第８アレンジメント１８４において、治療電力は、第１および第２電極１１２、１１６に与えられる。より具体的には、治療電力は、第３治療電力結合１３０を通じて治療電源１１０から第１電極１１２へ与えられる。治療電力は、第４治療電力結合１３８および第５治療電力結合１４１を通じて、第２電極１１６へ与えられる（すなわち、電極スイッチ１４２を閉じる）。したがって、治療電力は、第１および第２電極１１２、１１６の間で流れる。使用の際、人体の選択部分は、第１および第２伸長部１４６、１４８の機能的特徴１５２の間に配置される、デバイス機能は人体のその部分において実行される。第８アレンジメント１８４において、デバイス機能を実行しつつ、第１電極１１２は任意に加熱可能である。すなわち、加熱電力スイッチ１３６を閉じて、加熱電源１０８からヒータ１１４へ加熱電力を供給することによって、第１電極１１２は抵抗加熱される。
【手続補正４】
【補正対象書類名】明細書
【補正対象項目名】００５３
【補正方法】変更
【補正の内容】
【００５３】
図８Ｂは、単極動作モード１８６における電気手術医療デバイス２００を示す。単極動作モード１８６において、医療デバイス２００は第９アレンジメント１８８で使用される。
【手続補正５】
【補正対象書類名】明細書
【補正対象項目名】００５４
【補正方法】変更
【補正の内容】
【００５４】
図７および８Ｂを参照して、第９アレンジメント１８８において、治療電力が第１電極１１２に与えられる。すなわち、治療電力は、第３治療電力結合１３０を通じて、治療電源１１０から第１電極１１２へ与えられる。それぞれのスイッチ１２４、１２８を閉じることによって、治療電力は、第１治療電力結合１２２および／または第２治療電力結合１２６を通じて、治療電源１１０から第１電極１１２へ与えられる。治療電力は、患者パッド結合１４４を通じて、患者パッド１２０から治療電源１１０へ導通可能となる。したがって、治療電力は、第１電極１１２と患者パッド１２０との間に流れる。使用の際、第１伸長部１４６の機能的特徴１５２は、人体の選択部分と接触し、デバイス機能が実行される。第１電極１１２は任意に加熱可能である。すなわち、加熱電源１０８からヒータ１１４へ加熱電力を供給することによって、第１電極１１２は抵抗加熱される。